(57)【要約】【課題】単色光源を使用した散乱光を測定する装置において、蛍光灯などの室内照明や、窓から差し込む太陽光などの外乱光に対し、反応容器の周囲を遮光することや、光源の点灯と消灯を行うロックインアンプを用いることをせずに、複数の反応容器を変えながら高速で安定な反応液の測定を行う自動分析装置を実現する。【解決手段】自動分析装置の散乱光分析装置において、反応セル１０３内の被測定液体１０４にて散乱した光を検出する散乱光検出器１０６と、光源ランプ１０１以外の光を検出する外乱光検出器１１１と含む少なくとも２つ以上の検出器を持つ。そして、散乱光検出器１０６からの出力値から外乱光検出器１１１からの出力値を差し引いた値を被測定液体１０４にて散乱した光の検出値とする。【選択図】図２
2013024746.tif 000002
【特許請求の範囲】
【請求項１】
測定対象の被測定液体を格納する反応容器と、
前記反応容器に光を照射する光源部と、
前記反応容器内の前記被測定液体にて散乱した光を検出する第１検出器と、
前記光源部以外の光を検出する第２検出器と、
前記第１検出器の出力を測定する第１検出回路部と、
前記第２検出器の出力を測定する第２検出回路部と、
前記第１検出回路部からの出力を信号処理する第１信号処理部と、
前記第２検出回路部からの出力を信号処理する第２信号処理部と、
前記第１信号処理部と前記第２信号処理部からの出力を処理する演算部と、
前記演算部の結果を保存する記憶領域とを有し、
前記第１検出器と前記第２検出器とを含む少なくとも２つ以上の検出器を持つことを特徴とする自動分析装置。
【請求項２】
請求項１記載の自動分析装置において、
前記演算部は、前記第１検出器からの出力値を前記第１検出回路部および前記第１信号処理部を介して処理した出力信号と、前記第２検出器からの出力値を前記第２検出回路部および前記第２信号処理部を介して処理した出力信号とに基づいて演算し、前記第１検出器からの出力値から前記第２検出器からの出力値を差し引いた値を前記被測定液体にて散乱した光の検出値とすることを特徴とする自動分析装置。
【請求項３】
請求項２記載の自動分析装置において、
前記第２検出器には、前記光源部から照射される光の波長範囲を吸収するフィルタが取り付けられていることを特徴とする自動分析装置。
【請求項４】
請求項２または３記載の自動分析装置において、
前記演算部は、前記第１検出器からの出力値を前記第１検出回路部および前記第１信号処理部を介して処理した出力信号と、前記第２検出器から出力値を前記第２検出回路部および前記第２信号処理部を介して処理した出力信号とに基づいて、前記被測定液体にて散乱した光の検出値を演算する際に、前記第１検出器と前記第２検出器との検出感度比を補正することを特徴とする自動分析装置。
【請求項５】
請求項１記載の自動分析装置において、
前記第１検出器と前記第２検出器とに加え、さらに、前記反応容器内の前記被測定液体を透過した光を検出する第３検出器を有することを特徴とする自動分析装置。
【発明の詳細な説明】
【技術分野】
【０００１】
本発明は、自動分析装置の技術に関し、特に、測定対象に光を照射して、この測定対象にて散乱した散乱光を測定する分析装置において、測定対象である反応容器内の被測定液体にて散乱した光を検出する検出器を配置し、この検出器の出力を測定する自動分析装置に適用して有効な技術に関する。
【背景技術】
【０００２】
サンプルに含まれる成分量を分析するサンプル分析装置として、光源からの光を、サンプル、又はサンプルと試薬とが混合した反応液に照射し、その結果得られる単一又は複数の波長の透過光量を測定し吸光度を算出して、ランベルト・ベールの法則に従い、吸光度と濃度の関係から成分量を割り出す自動分析装置が広く用いられている（例えば特許文献１）。これらの自動分析装置においては、回転と停止を繰り返すセルディスクに、反応液を保持する多数のセルが円周状に並べられ、セルディスクの回転中に、予め配置された透過光測定部により、約１０分間、一定の時間間隔で吸光度の経時変化が測定される。
【０００３】
このようなサンプル分析装置において、例えば血液、尿等の生体サンプル中の特定成分の定性・定量分析を行う自動分析装置では、生体サンプル中の特定成分と反応し色が変るような試薬をサンプルに添加し、サンプルの色の変化（吸光度の変化）を測定するものが一般的である。
【０００４】
一方で、測定対象に光を照射してその散乱光を測定する装置として、例えば免疫反応測定検査における抗原抗体試料からの散乱光を測定する装置に関する技術が特許文献２に開示されている。また、特許文献３に記載の技術では、透過光の分析に加えて、反応セルの周囲に散乱光を検出できる機能を有し、免疫項目の測定を可能とする機能を有している。
【０００５】
上述した透過光量を測定し吸光度を算出する自動分析装置においては、光源から出た白色光をセル内の反応液に照射する白色光照明方式（ポリクロメータタイプ）が一般的であり、この場合、光源から出た光はレンズや窓を通り、専用の反応容器のひとつを通過し、スリットを通った後に凹面回折格子に入射する。光はここで分光され、ローランド円上に並んだ複数のシリコン検知器上にスリットの像を結ぶ。このように、反応液に照射されるのは白色光であり、その後に分光される構成においては、光源の光以外の外乱光の影響を受けにくく、反応容器の周囲を遮光せずに測定が行われている。
【０００６】
一方で、上述した散乱光を測定する装置においては、光源から出た光を回折格子や干渉フィルタにより分光するか、ＬＥＤなどの単色光源を使用し、目的の波長域だけの単色光を反応容器内の反応液に照射する単色光照明方式（モノクロメータタイプ）が多く見られる。
【先行技術文献】
【特許文献】
【０００７】
【特許文献１】米国特許第４４５１４３３号明細書
【特許文献２】特開昭６０−４０９３７号公報
【特許文献３】特開昭５９−１００８６２号公報
【発明の概要】
【発明が解決しようとする課題】
【０００８】
ところで、上述した特許文献２や特許文献３を含む従来の散乱光を測定する装置においては、この散乱光を測定する装置で多く見られる単色光源を使用した場合、測定波長以外の蛍光灯などの室内照明や、窓から差し込む太陽光などの外乱光の影響を受けやすく、反応容器の周囲を遮光して測定が行われている。
【０００９】
また、遮光せずに測定を行う場合は、単色光源を一定の周波数で点灯と消灯を繰り返し、特定の周波数の信号を検出して増幅させるロックインアンプを用いることで、外乱光ノイズに影響を受けずに検出したい信号だけを取り出す方法もあるが、自動分析装置においては複数の反応容器を変えながら高速で反応液の測定を行うため、短時間で光源の点灯と消灯を行う必要があり、ロックインアンプを用いることは現実的な方法ではない。さらに、ロックインアンプを用いた分析装置は、反応容器を測定ごとに停止させる必要があり、処理能力の向上が望めない。
【００１０】
そこで、本発明は上述したような課題に鑑みてなされたものであり、その代表的な目的は、単色光源を使用した散乱光を測定する装置において、蛍光灯などの室内照明や、窓から差し込む太陽光などの外乱光に対し、反応容器の周囲を遮光することや、光源の点灯と消灯を行うロックインアンプを用いることをせずに、複数の反応容器を変えながら高速で安定な反応液の測定を行う自動分析装置を実現することにある。
【００１１】
本発明の前記ならびにその他の目的と新規な特徴は、本明細書の記述および添付図面から明らかになるであろう。
【課題を解決するための手段】
【００１２】
本願において開示される発明のうち、代表的なものの概要を簡単に説明すれば、次のとおりである。
【００１３】
すなわち、代表的な自動分析装置は、単色光源を使用した散乱光を測定する装置において、測定対象の被測定液体を格納する反応容器と、前記反応容器に光を照射する光源部と、前記反応容器内の前記被測定液体にて散乱した光を検出する第１検出器と、前記光源部以外の光を検出する第２検出器と、前記第１検出器の出力を測定する第１検出回路部と、前記第２検出器の出力を測定する第２検出回路部と、前記第１検出回路部からの出力を信号処理する第１信号処理部と、前記第２検出回路部からの出力を信号処理する第２信号処理部と、前記第１信号処理部と前記第２信号処理部からの出力を処理する演算部と、前記演算部の結果を保存する記憶領域とを有する。特に、前記第１検出器と前記第２検出器とを含む少なくとも２つ以上の検出器を持つことを特徴とする。
【００１４】
さらに好ましくは、前記第１検出器からの出力値から前記第２検出器からの出力値を差し引いた値を前記被測定液体にて散乱した光の検出値とすること、前記第２検出器には前記光源部から照射される光の波長範囲を吸収するフィルタが取り付けられていること、前記第１検出器と前記第２検出器との検出感度比を補正すること、前記第１検出器と前記第２検出器とに加え、前記反応容器内の前記被測定液体を透過した光を検出する第３検出器を有することを特徴とする。
【発明の効果】
【００１５】
本願において開示される発明のうち、代表的なものによって得られる効果を簡単に説明すれば以下のとおりである。
【００１６】
すなわち、代表的な効果は、単色光源を使用した散乱光を測定する装置において、蛍光灯などの室内照明や、窓から差し込む太陽光などの外乱光に対し、反応容器の周囲を遮光することや、光源の点灯と消灯を行うロックインアンプを用いることをせずに、複数の反応容器を変えながら高速で安定な反応液の測定を行う自動分析装置を実現することが可能となる。
【図面の簡単な説明】
【００１７】
【図１】本発明の一実施の形態に係る自動分析装置の全体構成の一例を示す概略構成図である。
【図２】本発明の一実施の形態に係る自動分析装置に含まれる散乱光分析装置の一例を示す概略構成図である。
【図３】本発明の一実施の形態に係る自動分析装置に含まれる散乱光分析装置において、光源の相対発光強度とフィルタ透過率の一例を示す特性図である。
【図４】本発明の一実施の形態に係る自動分析装置に含まれる散乱光分析装置において、反応セル内の被測定液体を測定した時の散乱光検出信号の一例を示す特性図である。
【図５】本発明の一実施の形態に係る自動分析装置に含まれる散乱光分析装置の動作フローの一例を示すフローチャートである。
【発明を実施するための形態】
【００１８】
以下の実施の形態においては、便宜上その必要があるときは、複数の実施の形態またはセクションに分割して説明するが、特に明示した場合を除き、それらは互いに無関係なものではなく、一方は他方の一部または全部の変形例、詳細、補足説明等の関係にある。また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でも良い。
【００１９】
さらに、以下の実施の形態において、その構成要素（要素ステップ等も含む）は、特に明示した場合および原理的に明らかに必須であると考えられる場合等を除き、必ずしも必須のものではないことは言うまでもない。同様に、以下の実施の形態において、構成要素等の形状、位置関係等に言及するときは、特に明示した場合および原理的に明らかにそうでないと考えられる場合等を除き、実質的にその形状等に近似または類似するもの等を含むものとする。このことは、上記数値および範囲についても同様である。
【００２０】
以下、本発明の実施の形態を図面に基づいて詳細に説明する。なお、実施の形態を説明するための全図において、同一の部材には原則として同一の符号を付し、その繰り返しの説明は省略する。
【００２１】
＜本発明の実施の形態の概要＞
本発明の実施の形態に係る自動分析装置（一例として、（）内に図２の対応する構成要素を付記）は、測定対象の被測定液体を格納する反応容器（反応セル１０３）と、反応容器に光を照射する光源部（光源ランプ１０１）と、反応容器内の被測定液体にて散乱した光を検出する第１検出器（散乱光検出器１０６）と、光源部以外の光を検出する第２検出器（外乱光検出器１１１）と、第１検出器の出力を測定する第１検出回路部（散乱光検出回路部１０７）と、第２検出器の出力を測定する第２検出回路部（外乱光検出回路部１１２）と、第１検出回路部からの出力を信号処理する第１信号処理部（散乱光ＡＤ変換部１０８）と、第２検出回路部からの出力を信号処理する第２信号処理部（外乱光ＡＤ変換部１１３）と、第１信号処理部と第２信号処理部からの出力を処理する演算部（演算器１１４）と、演算部の結果を保存する記憶領域（記憶部１１５）とを有する。特に、第１検出器と第２検出器とを含む少なくとも２つ以上の検出器を持つことを特徴とする。
【００２２】
以上説明した本発明の実施の形態の概要に基づいた実施の形態を、以下において具体的に説明する。以下に説明する実施の形態は本発明を用いた一例であり、本発明は以下の実施の形態により限定されるものではない。
【００２３】
＜実施の形態＞
＜＜自動分析装置の全体構成および動作＞＞
図１を用いて、本実施の形態に係る自動分析装置の全体構成および動作について説明する。図１は、この自動分析装置の全体構成の一例を示す概略構成図である。ここでは、生化学自動分析装置を例に説明する。
【００２４】
図１において、１はサンプルディスク、２は試薬ディスク、３は反応ディスク、４は反応槽、５はサンプリング機構、６はピペッティング機構、７は攪拌機構、８は測光機構、９は洗浄機構、１０はコンピュータ（ＰＣ）、１２は記憶装置、１３は制御部、１４は圧電素子ドライバ、１５は攪拌機構コントローラ、１６は試料容器、１７は円形サンプルディスク、１８は試薬ボトル、１９は円形試薬ディスク、２０は保冷庫、２１は反応容器、２２は反応容器ホルダ、２３は駆動機構、２４はサンプルプローブ、２５はサンプルプローブ支承軸、２６はサンプルプローブアーム、２７は試薬プローブ、２８は試薬プローブ支承軸、２９は試薬プローブアーム、３１は固定部、３３はノズル、３４は上下駆動機構である。
【００２５】
本実施の形態に係る自動分析装置は、主に、複数の試料容器１６が載置されるサンプルディスク１と、複数の試薬ボトル１８が載置される試薬ディスク２と、複数の反応容器２１が載置される反応ディスク３と、サンプルディスク１と反応ディスク３との近傍に設置されたサンプリング機構５と、試薬ディスク２と反応ディスク３との近傍に設置されたピペッティング機構６と、反応ディスク３の近傍に設置された攪拌機構７、測光機構８、および洗浄機構９等を有して構成される。
【００２６】
サンプルディスク１は、円形サンプルディスク１７上に、分析対象の試料（サンプル、検体等とも記す）を収容する複数の試料容器１６が円周上に並んで載置されている。このサンプルディスク１の近傍には、サンプリング機構５が設置されている。このサンプリング機構５は、該当する試料容器１６から試料を吸入し、この試料を該当する反応容器２１に吐出するサンプルプローブ２４がサンプルプローブ支承軸２５に固定されたサンプルプローブアーム２６に取り付けられている。
【００２７】
試薬ディスク２は、円形試薬ディスク１９上に、試薬を収納する複数の試薬ボトル１８が円周上に並んで載置されている。この試薬ディスク２には、保冷庫２０が設置されている。また、この試薬ディスク２の近傍には、ピペッティング機構６が設置されている。このピペッティング機構６は、該当する試薬ボトル１８から試薬を吸入し、この試薬を該当する反応容器２１に吐出する試薬プローブ２７が試薬プローブ支承軸２８に固定された試薬プローブアーム２９に取り付けられている。
【００２８】
反応ディスク３は、複数の反応容器２１が保持される複数の反応容器ホルダ２２が円周上に並んで載置されている。この反応ディスク３には、反応槽４が設置されている。この反応ディスク３は、駆動機構２３により間欠回転可能となっている。また、この反応ディスク３の近傍には、攪拌機構７、測光機構８、洗浄機構９等が設置されている。
【００２９】
攪拌機構７は、反応容器２１内の内容物（試料と試薬）を攪拌するための機構であり、圧電素子ドライバ１４、攪拌機構コントローラ１５等から構成される。測光機構８は、反応容器２１内の内容物を透過した透過光および内容物にて散乱した散乱光を測定するための機構であり、図２において後述する光源や検出器等から構成される。洗浄機構９は、反応容器２１内を洗浄するための機構であり、ノズル３３、上下駆動機構３４等から構成される。
【００３０】
これらのサンプルディスク１、試薬ディスク２、反応ディスク３、サンプリング機構５、ピペッティング機構６、攪拌機構７、測光機構８、および洗浄機構９は、それぞれ制御部１３に接続され、さらにコンピュータ１０に接続されて、各動作が制御されるようになっている。また、制御部１３には、記憶装置１２に接続されている。
【００３１】
コンピュータ１０は、例えば演算処理機能や記憶機能等を含む本体、キーボードやマウス等の入力部、液晶やＣＲＴ等の表示部から構成され、測定検体の情報や、測定項目の登録、分析パラメータ等を設定する。記憶装置１２には、分析パラメータ、各試薬ボトルの分析可能回数、最大分析可能回数、キャリブレーション結果、分析結果等や、分注動作を評価する判定プロセス、また予め保持する判定に必要なデータなどを記憶保持している。なお、記憶装置１２に記憶保持する情報は、コンピュータ１０に付属する記憶媒体に記憶されても良いし、個別の記憶データベースとして記憶装置１２のように単独で存在しても良い。
【００３２】
以上のように構成される自動分析装置において、試料の分析は、以下のようにサンプリング、試薬分注、攪拌、測光、反応容器の洗浄、濃度換算等のデータ処理の順番に実施される。
【００３３】
サンプルディスク１、試薬ディスク２、反応ディスク３、サンプリング機構５、ピペッティング機構６、攪拌機構７、測光機構８、および洗浄機構９は、制御部１３によりコンピュータ１０を介して制御される。
【００３４】
まず、サンプルディスク１上には、分析される試料を収容した複数の試料容器１６が円周上に並んで設置されており、この分析される試料の順番に従ってサンプリング機構５のサンプルプローブ２４の下まで移動する。試料容器１６中の試料である検体は、サンプリング機構５に連結された試料用ポンプ（図示せず）により、反応ディスク３上の反応容器２１の中に所定量分注される。
【００３５】
さらに、試料を分注された反応容器２１は、反応槽４の中を第１試薬添加位置まで移動する。移動した反応容器２１には、ピペッティング機構６の試薬プローブ２７に連結された試薬用ポンプ（図示せず）により、試薬ディスク２上の試薬ボトル１８から吸引された試薬が所定量加えられる。第１試薬添加後の反応容器２１は、攪拌機構７の位置まで移動し、最初の攪拌が行われる。このような試薬の添加（分注）−攪拌が、例えば第１〜第４試薬について行われる。
【００３６】
続いて、内容物が攪拌された反応容器２１は、測光機構８において、光源から発した光束中を通過し、この時の反応容器２１内の被測定液体を透過した透過光、または被測定液体にて散乱した散乱光が検知される。検知された前記透過光または前記散乱光の信号は制御部１３に入り、検体の濃度に変換される。また、制御部１３では同時に異常の判定を行う。
【００３７】
そして、濃度変換されたデータは、記憶装置１２に記憶され、コンピュータ１０に付属する表示装置に表示される。測光の終了した前記反応容器２１は、洗浄機構９の位置まで移動し、洗浄され、次の分析に供される。
【００３８】
以上のように、本実施の形態に係る自動分析装置においては、サンプリング、試薬分注、攪拌、測光、反応容器の洗浄、濃度換算等のデータ処理を順番に実施して、試料の分析を行うことができる。
【００３９】
＜＜散乱光分析装置の構成および動作＞＞
図２を用いて、前述した自動分析装置に含まれる散乱光分析装置（被測定液体にて散乱した散乱光を測定し、分析する装置の部分）の構成および動作について説明する。図２は、この散乱光分析装置の一例を示す概略構成図である。
【００４０】
図２において、１０１は光源ランプ、１０２は単色光、１０３は反応セル、１０４は被測定液体、１０５は散乱光、１０６は散乱光検出器、１０７は散乱光検出回路部（ＡＭＰ１）、１０８は散乱光ＡＤ変換部（ＡＤＣ１）、１０９は外乱光、１１０はダイクロイックフィルタ、１１１は外乱光検出器、１１２は外乱光検出回路部（ＡＭＰ２）、１１３は外乱光ＡＤ変換部（ＡＤＣ２）、１１４は演算器、１１５は記憶部、１１６は制御部、１１７は表示部である。
【００４１】
本実施の形態における散乱光分析装置は、光源ランプ１０１と、反応セル１０３と、散乱光検出器１０６と、散乱光検出回路部１０７と、散乱光ＡＤ変換部１０８と、外乱光検出器１１１と、外乱光検出回路部１１２と、外乱光ＡＤ変換部１１３と、演算器１１４と、記憶部１１５と、制御部１１６と、表示部１１７を有して構成される。
【００４２】
この散乱光分析装置において、例えば、反応セル１０３は図１に示した反応容器２１に対応する。さらに、これに限られるものではないが、光源ランプ１０１、散乱光検出器１０６、散乱光検出回路部１０７、散乱光ＡＤ変換部１０８、外乱光検出器１１１、外乱光検出回路部１１２、および外乱光ＡＤ変換部１１３等は図１に示した測光機構８に含まれ、また、演算器１１４、記憶部１１５、および表示部１１７等は図１に示したコンピュータ１０の部分に対応し、制御部１１６は図１に示した制御部１３の部分に対応する。
【００４３】
光源ランプ１０１は、反応セル１０３に単色光１０２を照射する光源部である。反応セル１０３は、測定対象の被測定液体１０４を格納する反応容器である。
【００４４】
散乱光検出器１０６は、反応セル１０３内の被測定液体１０４にて散乱した散乱光１０５を検出する第１検出器である。散乱光検出回路部１０７は、散乱光検出器１０６の出力を測定すると共に、測定した値を増幅する第１検出回路部である。散乱光ＡＤ変換部１０８は、散乱光検出回路部１０７からの出力を信号処理すると共に、アナログ信号をデジタル信号に変換する第１信号処理部である。
【００４５】
外乱光検出器１１１は、光源ランプ１０１以外の外乱光１０９を検出する第２検出器であり、散乱光検出器１０６に隣接する位置に設置される。この外乱光検出器１１１には、光源ランプ１０１から照射される単色光１０２の波長範囲を吸収するダイクロイックフィルタ１１０が取り付けられている。外乱光検出回路部１１２は、外乱光検出器１１１の出力を測定すると共に、測定した値を増幅する第２検出回路部である。外乱光ＡＤ変換部１１３は、外乱光検出回路部１１２からの出力を信号処理すると共に、アナログ信号をデジタル信号に変換する第２信号処理部である。
【００４６】
演算器１１４は、散乱光ＡＤ変換部１０８と外乱光ＡＤ変換部１１３からの出力を処理する演算部である。記憶部１１５は、演算器１１４の結果を保存する記憶領域である。制御部１１６は、記憶部１１５に保持された結果を出力する制御部である。表示部１１７は、記憶部１１５に保持された結果を出力する表示部である。
【００４７】
以上のように構成される散乱光分析装置において、この動作は以下の通りである。まず、光源ランプ１０１を出た単色光１０２は反応セル１０３に入れられた被測定液体１０４に照射される。この被測定液体１０４から散乱した散乱光１０５は散乱光検出器１０６に照射され、電気信号に変換される。この際に、散乱光検出器１０６には、散乱光１０５とは別の外乱光１０９も照射され、散乱光１０５と外乱光１０９を加算し、電気信号に変換される。そして、電気信号に変換された加算光は、散乱光検出回路部１０７により増幅され、さらに、散乱光ＡＤ変換部１０８によりデジタル信号に変換される。
【００４８】
一方、散乱光検出器１０６と隣接する位置に設置された外乱光検出器１１１の受光部には単色光１０２の波長範囲を吸収するダイクロイックフィルタ１１０を取り付け、外乱光１０９はダイクロイックフィルタ１１０を透過して外乱光検出器１１１に照射される。この際に、外乱光検出器１１１には、散乱光１０５も照射されるが、ダイクロイックフィルタ１１０により吸収されるため、外乱光１０９のみ外乱光検出器１１１に照射され、電気信号に変換される。そして、電気信号に変換された外乱光は、外乱光検出回路部１１２により増幅され、さらに、外乱光ＡＤ変換部１１３によりデジタル信号に変換される。
【００４９】
続いて、演算器１１４において、デジタル信号に変換された散乱光、及び外乱光の変化は差し引き演算された後、記憶部１１５に格納される。この演算器１１４における演算では、散乱光検出器１０６からの出力値から外乱光検出器１１１からの出力値を差し引いた値を被測定液体１０４にて散乱した光の真の検出値とすると共に、散乱光検出器１０６と外乱光検出器１１１との検出感度比を補正する。そして、記憶部１１５に格納された演算結果は、制御部１１６により表示部１１７に表示され、これによって、オペレータに結果を報告することができる。
【００５０】
＜＜光源の相対発光強度とフィルタ透過率＞＞
図３を用いて、前述した光源ランプ１０１とダイクロイックフィルタ１１０において、光源の相対発光強度とフィルタ透過率について説明する。図３は、この光源の相対発光強度とフィルタ透過率の一例を示す特性図である。図３において、横軸はピーク発光波長（ｎｍ）、縦軸は光源の相対発光強度（％）／フィルタ透過率（％）を示す。
【００５１】
本実施の形態における散乱光分析装置では、光源ランプ１０１に対するダイクロイックフィルタ１１０として、光源ランプ１０１から照射される単色光１０２の相対発光強度特性２００の発光波長幅を吸収するフィルタ透過率２０１のような特性のダイクロイックフィルタ１１０を選択することで実現する。この例では、光源ランプ１０１のピーク発光波長λｐは５５０ｎｍである。
【００５２】
＜＜反応セル内の被測定液体を測定した時の散乱光検出信号＞＞
図４を用いて、前述した反応セル１０３内の被測定液体１０４を測定した時の散乱光検出信号について説明する。図４は、この散乱光検出信号の一例を示す特性図である。図４において、横軸は時間（ｓ）、縦軸は検出電圧（Ｖ）を示す。
【００５３】
本来、被測定液体１０４の反応傾斜信号は３００（正常時の散乱光反応傾斜信号）に示すような信号であるべきであるが、外乱光信号３０１が加わることで、実際の反応傾斜信号は３０２（外乱光が加算された散乱光反応傾斜信号）に示すように外乱光信号３０１が加算された値となって出力される。反応傾斜信号上の２つの点を結ぶ反応傾斜を算出した場合は、３０３（異常時の散乱光反応傾斜信号）に示す反応傾斜と判断する場合が考えられ、本来の反応傾斜信号は、正常時の散乱光反応傾斜信号３００から大きく乖離した値となってしまう。
【００５４】
そこで、本実施の形態における散乱光分析装置によれば、第１に、前述した図３に示すような特性のダイクロイックフィルタ１１０を用いて、実際の反応傾斜信号は外乱光が加算された散乱光反応傾斜信号３０２から外乱光信号３０１を差し引くことで、本来の反応傾斜信号である正常時の散乱光反応傾斜信号３００を得ることにある。
【００５５】
しかしながら、前述した図３に示すように、ダイクロイックフィルタ１１０の吸収波長の透過率も１００％ではなく、相対発光強度特性２００と吸収するフィルタ透過率２０１の特性も正確に合わせることは困難である。すなわち、実際の散乱光分析装置においては、散乱光検出器１０６と外乱光検出器１１１の外乱光に対する感度比を補正する必要がある。
【００５６】
そこで、本実施の形態における散乱光分析装置では、第２に、散乱光検出器１０６と外乱光検出器１１１の外乱光に対する感度比を補正することで、正常時の散乱光反応傾斜信号３００を得ることができる。この外乱光に対する感度比の補正を含む動作は、図５を用いて後述する。
【００５７】
＜＜散乱光分析装置の動作フロー＞＞
図５を用いて、前述した散乱光分析装置の動作フローについて説明する。図４は、この散乱光分析装置の動作フローの一例を示すフローチャートである。
【００５８】
まず、ステップＳ１の光源ＯＦＦのデータ取得において、光源ランプ１０１を点灯しない状態で、散乱光測定データ（散乱光データ）と外乱光測定データ（外乱光データ）を各１０回測定し、その平均値を記憶部１１５に格納する。さらに、ステップＳ２の外乱光補正データの算出において、記憶部１１５に格納された散乱光測定データの外乱光測定データに対する比を計算し、補正係数Ｋを算出する。すなわち、補正係数Ｋ＝散乱光測定データ／外乱光測定データ、となる。
【００５９】
次に、ステップＳ３の光源点灯において、光源ランプ１０１を点灯し、光源光量が安定する時間が経過するまで待つ。さらに、ステップＳ４の反応液データの測定において、光源光量が安定した後、散乱光度計の光軸上に配置した反応セル１０３に入れられた被測定液体１０４の散乱光測定を行うと同時に外乱光測定を行い、その結果を記憶部１１５に格納する。
【００６０】
そして、ステップＳ５の外乱光の補正において、このようにして得られた測定データを基に、散乱光測定データを外乱光測定データ及び補正係数Ｋで補正計算を行う。すなわち、外乱光の補正は、散乱光測定データ−外乱光測定データ×補正係数Ｋ、となる。さらに、ステップＳ６の散乱光データの格納において、外乱光補正後の散乱光測定データと、測定経過時間も併せて、記憶部１１５に格納する。
【００６１】
次に、ステップＳ７の「＝１０分経過？」判定において、上記ステップＳ４の反応液データの測定からステップＳ６の散乱光データの格納までの処理を１０分間実施したか否かを判定する。この判定の結果、１０分経過した場合（ＹＥＳ）は、ステップＳ８の反応傾斜量の算出において、経過時間あたりの反応傾斜量を算出する。最後に、ステップＳ９のデータ出力において、この算出した反応傾斜量の算出結果のデータを出力する。これにより、測定は終了となる。
【００６２】
＜＜実施の形態の効果＞＞
以上説明した本実施の形態に係る自動分析装置に含まれる散乱光分析装置によれば、散乱光１０５を検出する散乱光検出器１０６と、外乱光１０９を検出する外乱光検出器１１１とを有し、散乱光検出器１０６、外乱光検出器１１１からの出力を各検出器に対応した散乱光検出回路部１０７、外乱光検出回路部１１２にて増幅し、さらに散乱光ＡＤ変換部１０８、外乱光ＡＤ変換部１１３にてデジタル信号に変換し、そして演算器１１４にて演算処理して、散乱光１０５、外乱光１０９の変化を観測すると共に一定間隔毎に記憶部１１５に保存することで、以下のような効果を得ることができる。
【００６３】
（１）同一の被測定液体１０４において、散乱光１０５を測定すると同時に外乱光１０９を測定することで、反応セル１０３の周囲を遮光することや、光源の点灯と消灯を行うロックインアンプを用いることをせずに、室内照明や太陽光などの外乱光の影響を受けない散乱光測定が可能となる。
【００６４】
（２）演算器１１４において、散乱光検出器１０６からの出力値から外乱光検出器１１１からの出力値を差し引いた値を真の散乱光の検出値とすることで、本来の反応傾斜信号である正常時の散乱光反応傾斜信号３００を得ることができるので、より正確な被測定液体１０４の反応傾斜測定が可能となる。
【００６５】
（３）外乱光検出器１１１の前に単色光１０２の波長範囲を吸収して透過しないダイクロイックフィルタ１１０を取り付け、外乱光１０９が加算された散乱光反応傾斜信号３０２から外乱光信号３０１を差し引くことで、上記（２）に対してさらに正確な被測定液体１０４の反応傾斜測定のために、光源の相対発光強度とフィルタ透過率とを考慮した正常時の散乱光反応傾斜信号３００を得ることができる。
【００６６】
（４）演算器１１４において、散乱光検出器１０６と外乱光検出器１１１との検出感度比を補正することで、上記（３）に対してさらに正確な被測定液体１０４の反応傾斜測定のために、散乱光検出器１０６と外乱光検出器１１１との外乱光１０９に対する感度比を補正した正常時の散乱光反応傾斜信号３００を得ることができる。
【００６７】
（５）上記（１）〜（４）により、散乱光分析装置において、蛍光灯などの室内照明や、窓から差し込む太陽光などの外乱光に対し、反応セル１０３の周囲を遮光することや、光源の点灯と消灯を行うロックインアンプを用いることをせずに、反応セル１０３を変えながら高速で安定な反応液の測定を行うことが可能となる。
【００６８】
＜＜実施の形態の変形例＞＞
本実施の形態に係る自動分析装置に含まれる散乱光分析装置、あるいは自動分析装置においては、以下のような変形例が考えられる。
【００６９】
（１）散乱光１０５を検出する散乱光検出器１０６と、外乱光１０９を検出する外乱光検出器１１１とをそれぞれ１個ずつ有する場合について説明したが、これに限らず、検出器を３つ以上有する構成とすることも可能である。例えば、散乱光検出器１０６を２個以上有する場合、外乱光検出器１１１を２個以上有する場合が考えられる。このような場合には、複数個の検出器の平均値を測定値とすることで、より一層、正確な被測定液体１０４の反応傾斜測定が可能となる。
【００７０】
（２）散乱光１０５を検出する散乱光検出器１０６と、外乱光１０９を検出する外乱光検出器１１１とに加え、さらに、被測定液体１０４を透過した光を検出する透過光検出器を有し、各検出器からの出力を処理する回路部やＡＤ変換部等を有する構成とすることも可能である。このように散乱光検出と透過光検出とを組み合わせた構成の場合には、散乱光の測定と共に透過光も測定して被測定液体の分析が可能な自動分析装置を実現することができる。
【００７１】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００７２】
本発明の自動分析装置は、特に、単色光源を使用した散乱光を測定する装置において、測定対象である反応容器内の被測定液体にて散乱した光を検出する検出器を配置し、この検出器の出力を測定する自動分析装置に適用して有効である。さらに、被測定液体を透過した光を測定する装置を組み合わせた自動分析装置にも利用可能である。
【符号の説明】
【００７３】
１：サンプルディスク、２：試薬ディスク、３：反応ディスク、４：反応槽、５：サンプリング機構、６：ピペッティング機構、７：攪拌機構、８：測光機構、９：洗浄機構、１０：コンピュータ、１２：記憶装置、１３：制御部、１４：圧電素子ドライバ、１５：攪拌機構コントローラ、１６：試料容器、１７：円形サンプルディスク、１８：試薬ボトル、１９：円形試薬ディスク、２０：保冷庫、２１：反応容器、２２：反応容器ホルダ、２３：駆動機構、２４：サンプルプローブ、２５：サンプルプローブ支承軸、２６：サンプルプローブアーム、２７：試薬プローブ、２８：試薬プローブ支承軸、２９：試薬プローブアーム、３１：固定部、３３：ノズル、３４：上下駆動機構、
１０１：光源ランプ、１０２：単色光、１０３：反応セル、１０４：被測定液体、１０５：散乱光、１０６：散乱光検出器、１０７：散乱光検出回路部、１０８：散乱光ＡＤ変換部、１０９：外乱光、１１０：ダイクロイックフィルタ、１１１：外乱光検出器、１１２：外乱光検出回路部、１１３：外乱光ＡＤ変換部、１１４：演算器、１１５：記憶部、１１６：制御部、１１７：表示部、
２００：単色光の相対発光強度特性、２０１：ダイクロイックフィルタ透過率、
３００：正常時の散乱光反応傾斜信号、３０１：外乱光信号、３０２：外乱光が加算された散乱光反応傾斜信号、３０３：異常時の散乱光反応傾斜信号。
【図１】
2013024746.tif 000003
【図２】
2013024746.tif 000004
【図３】
2013024746.tif 000005
【図４】
2013024746.tif 000006
【図５】
2013024746.tif 000007